(57)【要約】【課題】光ディスク再生中の早送り、巻戻しによる再生位置の変更の際、変更された再生位置の映像データに対応するサブピクチャデータを映像データとともに再生する。【解決手段】読取部３が読み取った記録データを処理する再生部４と、再生部４で生成された映像データ等の再生信号を合成し、出力する画像合成部５と、ＤＶＤ１０の再生中に早送り、巻戻しの入力を受け付ける操作部８と、ＤＶＤ１０の再生中にサブピクチャデータの記録位置を記憶する記録位置メモリ４ｃと、を備えている。操作部８が早送り、巻戻しの入力を受け付けた際、再生部４によって記録位置メモリ４ｃから読み出された早送り等により指示されている再生位置よりも時間的に手前で、且つ最も近い記録位置におけるサブピクチャデータの再生信号が生成され、このサブピクチャデータと指示されている再生位置の映像データとの再生信号が画像合成部５によって合成され、出力される。【選択図】  図１
2007081668.tif 000002
【特許請求の範囲】
【請求項１】
光ディスクに記録されている映像データ及びサブピクチャデータを含む記録データを読み取る読取手段と、前記読取手段が光ディスクから読み取った前記映像データ、及び前記サブピクチャデータに基づく映像を合成した再生信号を生成し、出力する再生手段と、前記再生手段による光ディスクの再生中に、その時点における再生位置から時間的に離れた再生位置への移動指示を受け付ける移動指示受付手段と、を備え、前記移動指示受付手段が移動指示を受け付けると、前記再生手段がこの移動指示により指示されている再生位置に飛んで、この位置から光ディスクを再生する光ディスク装置において、
光ディスクの再生中に、この光ディスクにおける前記サブピクチャデータの記録位置を記憶する位置情報記憶手段と、
前記移動指示受付手段が移動指示を受け付けた際、今回の移動指示により指示されている再生位置と該再生位置よりも時間的に所定時間だけ手前の記録位置との間の所定範囲に含まれる前記サブピクチャデータの記録位置が、前記位置情報記憶手段に記憶されているか否かを判断する判断手段と、
光ディスクの現在の再生位置に対応する前記サブピクチャデータの記録位置よりも時間的に１つ手前のサブピクチャデータの記録位置を前記位置情報記憶手段から読み出し、該１つ手前のサブピクチャデータの記録位置からの再生を開始する入力を受け付けるサブピクチャ巻戻手段と、
前記サブピクチャ巻戻手段が前記１つ手前のサブピクチャデータの記録位置からの再生開始の入力を受け付けた際における再生位置に対応するサブピクチャデータの記録位置を記憶する読み飛ばし位置記憶手段、
前記１つ手前のサブピクチャデータの記録位置からの再生が開始された後、再び前記読み飛ばし位置記憶手段に記憶した記録位置の再生を行わず、該記録位置を飛ばした次のサブピクチャデータの記録位置の再生を行う入力を受け付けるサブピクチャ読み飛ばし手段と、を備え、
前記判断手段によって前記所定範囲に含まれる前記サブピクチャデータの記録位置が記憶されていると判断された際、前記再生手段は、前記位置情報記憶手段の記憶内容から、今回の移動指示により指示されている再生位置よりも時間的に手前で、且つ最も近い前記サブピクチャデータの記録位置を取得し、ここに記録されている前記サブピクチャデータに基づく映像と、今回の移動指示により指示されている再生位置に記録されている前記映像データに基づく映像と、を合成した再生信号を生成し、出力し、
前記判断手段によって前記所定範囲に含まれる前記サブピクチャデータの記録位置が記憶されてないと判断された際、前記読取手段は、光ディスクの前記所定範囲内の記録データを全て読み取り、前記再生手段は、前記読取手段によって読み取られた前記所定範囲内の記録データに基づく映像のうち前記サブピクチャデータに基づく映像が存在するか否かを判断し、該サブピクチャデータに基づく映像が存在すると判断した際は、該サブピクチャデータに基づく映像と、今回の移動指示により指示されている再生位置に記録されている前記映像データに基づく映像と、を合成した再生信号を生成し、出力したことを特徴とする光ディスク装置。
【請求項２】
光ディスクに記録されている映像データ及びサブピクチャデータを含む記録データを読み取る読取手段と、前記読取手段が光ディスクから読み取った前記映像データ、及び前記サブピクチャデータに基づく映像を合成した再生信号を生成し、出力する再生手段と、前記再生手段による光ディスクの再生中に、その時点における再生位置から時間的に離れた再生位置への移動指示を受け付ける移動指示受付手段と、を備え、前記移動指示受付手段が移動指示を受け付けると、前記再生手段がこの移動指示により指示されている再生位置に飛んで、この位置から光ディスクを再生する光ディスク装置において、
光ディスクの再生中に、この光ディスクにおける前記サブピクチャデータの記録位置を記憶する位置情報記憶手段を備え、
前記再生手段は、前記移動指示受付手段が移動指示を受け付けると、前記位置情報記憶手段の記憶内容から、今回の移動指示により指示されている再生位置よりも時間的に手前で、且つ最も近い前記サブピクチャデータの記録位置を取得し、ここに記録されている前記サブピクチャデータに基づく映像と、今回の移動指示により指示されている再生位置に記録されている前記映像データに基づく映像と、を合成した再生信号を生成し、出力することを特徴とする光ディスク装置。
【請求項３】
前記移動指示受付手段が移動指示を受け付けた際、今回の移動指示により指示されている再生位置と該再生位置よりも時間的に所定時間だけ手前の記録位置との間の所定範囲に含まれる前記サブピクチャデータの記録位置が、前記位置情報記憶手段に記憶されているか否かを判断する判断手段を備え、
前記判断手段によって前記所定範囲に含まれる前記サブピクチャデータの記録位置が記憶されてないと判断された際、前記読取手段は、光ディスクの前記所定範囲内の記録データを全て読み取り、前記再生手段は、前記読取手段によって読み取られた前記所定範囲内の記録データに基づく映像のうち前記サブピクチャデータに基づく映像が存在するか否かを判断し、該サブピクチャデータに基づく映像が存在すると判断した際は、該サブピクチャデータに基づく映像と、今回の移動指示により指示されている再生位置に記録されている前記映像データに基づく映像と、を合成した再生信号を生成し、出力することを特徴とする請求項２に記載の光ディスク装置。
【請求項４】
光ディスクの現在の再生位置に対応する前記サブピクチャデータの記録位置よりも時間的に１つ手前のサブピクチャデータの記録位置を前記位置情報記憶手段から読み出し、該１つ手前のサブピクチャデータの記録位置からの再生を開始する入力を受け付けるサブピクチャ巻戻手段を備えたことを特徴とする請求項２に記載の光ディスク装置。
【請求項５】
前記サブピクチャ巻戻手段が前記１つ手前のサブピクチャデータの記録位置からの再生開始の入力を受け付けた際における再生位置に対応するサブピクチャデータの記録位置を記憶する読み飛ばし位置記憶手段と、
前記１つ手前のサブピクチャデータの記録位置からの再生が開始された後、再び前記読み飛ばし位置記憶手段に記憶した記録位置の再生を行わず、該記録位置を飛ばした次のサブピクチャデータの記録位置の再生を行う入力を受け付けるサブピクチャ読み飛ばし手段と、を備えたことを特徴とする請求項５に記載の光ディスク装置。
【発明の詳細な説明】
【技術分野】
【０００１】
この発明は、ＤＶＤ（ディジタルバーサタイルディスク）等の光ディスクに記録された映像データ等の記録データを読み取って再生する光ディスク装置に関する。
【背景技術】
【０００２】
ＤＶＤ再生装置等の光ディスク装置は、ＤＶＤ等の光ディスクに記録された映像データや音声データ等を含む記録データを読み取って再生を行う。また、光ディスク装置は、記録データに含まれるサブピクチャデータも映像データや音声データとともに再生を行う。サブピクチャデータとしては、例えば字幕情報がある。
【０００３】
記録データは、１つがサブピクチャデータ、映像データ、音声データの順で構成され、複数が光ディスクに記録されている。光ディスク装置は、記録データを先頭から順に読み取って再生を行う。また、光ディスク装置は、再生中においてユーザから光ディスクの再生位置の変更（指示）の入力を受け付け、指示された再生位置から再生を行う早送り、巻戻し等の機能を有する。
【０００４】
また、近年の光ディスク装置には、光ディスクに記録された映像データを一定間隔おきに読み取って一定時間だけ静止画像として早送り再生する際、映像データだけでなく、この映像データに対応する字幕情報が記録されているサブピクチャデータも読み取って映像データとともに出力する構成を備えたものがある（例えば、特許文献１参照。）。さらに、映像を巻き戻すのではなく、字幕のみを巻き戻して再生する構成のものもある（例えば、特許文献２参照。）。
【特許文献１】特開２００１−２７５０８８号公報
【特許文献２】特開２００４−２１３８３２号公報
【発明の開示】
【発明が解決しようとする課題】
【０００５】
しかしながら、特許文献１、２では、光ディスクの再生中に、現在の再生位置からユーザが早送り、巻戻しの入力を行って再生位置を変更の指示をした際、指示された再生位置が映像データが記録された位置であった場合は映像データから再生されるので、映像データに対応するサブピクチャデータに基づく映像が再生されない。そのため、例えばサブピクチャデータが字幕情報である場合、指示された再生位置からの再生内容がユーザにわかり難かった。
【０００６】
また、特許文献２では、字幕情報を画面表示単位でメモリに記憶し、字幕のみを巻き戻すことが可能であるが、光ディスクに記録された全ての字幕情報を記憶するために容量の大きいメモリが必要になり、コストアップを招来してしまう。
【０００７】
この発明の目的は、光ディスクの再生中における早送り、巻戻し等による再生位置の変更の際に、変更された再生位置の映像データに対応するサブピクチャデータを映像データとともに再生することができる光ディスク装置を提供することにある。
【課題を解決するための手段】
【０００８】
この発明は、上記課題を解決するために以下の構成を備えている。
【０００９】
（１）光ディスクに記録されている映像データ及びサブピクチャデータを含む記録データを読み取る読取手段と、前記読取手段が光ディスクから読み取った前記映像データ、及び前記サブピクチャデータに基づく映像を合成した再生信号を生成し、出力する再生手段と、前記再生手段による光ディスクの再生中に、その時点における再生位置から時間的に離れた再生位置への移動指示を受け付ける移動指示受付手段と、を備え、前記移動指示受付手段が移動指示を受け付けると、前記再生手段がこの移動指示により指示されている再生位置に飛んで、この位置から光ディスクを再生する光ディスク装置において、
光ディスクの再生中に、この光ディスクにおける前記サブピクチャデータの記録位置を記憶する位置情報記憶手段を備え、
前記再生手段は、前記移動指示受付手段が移動指示を受け付けると、前記位置情報記憶手段の記憶内容から、今回の移動指示により指示されている再生位置よりも時間的に手前で、且つ最も近い前記サブピクチャデータの記録位置を取得し、ここに記録されている前記サブピクチャデータに基づく映像と、今回の移動指示により指示されている再生位置に記録されている前記映像データに基づく映像と、を合成した再生信号を生成し、出力することを特徴とする。
【００１０】
この構成においては、光ディスクの再生中に位置情報記憶手段によってサブピクチャデータの記録位置が記憶される。また、光ディスクの再生中に移動指示受付手段が移動指示を受け付けた際、再生手段によって、今回の移動指示により指示されている再生位置よりも時間的に手前で、且つ最も近い記録位置のサブピクチャデータが取得され、移動指示により指示されている再生位置における映像データとともに再生される。
【００１１】
したがって、変更された再生位置の映像データに対応するサブピクチャデータを映像データとともに再生することができ、変更された再生位置からの再生内容がユーザにわかり易くなり、映像データに対応するサブピクチャデータが再生される再生位置まで巻戻す等の操作が必要ない。
【００１２】
また、サブピクチャデータ自体ではなく記録位置を記憶しているので、メモリの容量の増大を抑制することができる。
【００１３】
（２）前記移動指示受付手段が移動指示を受け付けた際、今回の移動指示により指示されている再生位置と該再生位置よりも時間的に所定時間だけ手前の記録位置との間の所定範囲に含まれる前記サブピクチャデータの記録位置が、前記位置情報記憶手段に記憶されているか否かを判断する判断手段を備え、
前記判断手段によって前記所定範囲に含まれる前記サブピクチャデータの記録位置が記憶されてないと判断された際、前記読取手段は、光ディスクの前記所定範囲内の記録データを全て読み取り、前記再生手段は、前記読取手段によって読み取られた前記所定範囲内の記録データに基づく映像のうち前記サブピクチャデータに基づく映像が存在するか否かを判断し、該サブピクチャデータに基づく映像が存在すると判断した際は、該サブピクチャデータに基づく映像と、今回の移動指示により指示されている再生位置に記録されている前記映像データに基づく映像と、を合成した再生信号を生成し、出力することを特徴とする。
【００１４】
この構成においては、判断手段によって所定範囲に含まれるサブピクチャデータの記録位置が位置情報記憶手段に記憶されているか否かが判断される。つまり、移動指示受付手段が受け付けた今回の移動指示により指示されている再生位置の映像データに対応するサブピクチャデータが以前に再生され、記録位置が位置情報記憶手段に記憶されているか否かが判断される。
【００１５】
また、判断手段によって再生位置における映像データに対応するサブピクチャデータが以前に再生されていないと判断された際、再生手段によって、読み取られた光ディスクの所定範囲内の記録データに基づく映像のうちサブピクチャデータに基づく映像が存在するか否かが判断される。さらに、サブピクチャデータに基づく映像が存在すると判断した際は、サブピクチャデータに基づく映像と、今回の移動指示により指示されている再生位置の映像データに基づく映像とが再生される。
【００１６】
したがって、再生により光ディスクのサブピクチャデータの記録位置が記憶されてない場合であっても、変更された再生位置の映像データに対応するサブピクチャデータを映像データとともに再生することができるので、変更された再生位置からの再生内容がユーザにわかり易くなり、映像データに対応するサブピクチャデータが再生される再生位置まで巻戻す等の操作が必要ない。
【００１７】
（３）光ディスクの現在の再生位置に対応する前記サブピクチャデータの記録位置よりも時間的に１つ手前のサブピクチャデータの記録位置を前記位置情報記憶手段から読み出し、該１つ手前のサブピクチャデータの記録位置からの再生を開始する入力を受け付けるサブピクチャ巻戻手段を備えたことを特徴とする。
【００１８】
この構成においては、サブピクチャ巻戻手段によって、光ディスクの再生中における現在の再生位置に対応するサブピクチャデータの記録位置よりも時間的に１つ手前のサブピクチャデータの記録位置からの再生開始が受け付けられる。
【００１９】
巻戻しを行うことで１つ手前のサブピクチャデータの記録位置から再生することは可能であるが、巻き戻し過ぎてしまう等一度の巻戻しで１つ手前のサブピクチャデータが記録されている記録位置を再生位置として指示することは難しい。
【００２０】
したがって、時間的に１つ手前のサブピクチャデータの記録位置から容易に再生することができるので、例えばサブピクチャデータに字幕情報が記録されている場合、ユーザが再生された字幕を読みとる前に次の字幕が再生されてしまった際、読み取ることができなかった字幕をすぐに再生することができ、操作性を向上させることができる。
【００２１】
（４）前記サブピクチャ巻戻手段が前記１つ手前のサブピクチャデータの記録位置からの再生開始の入力を受け付けた際における再生位置に対応するサブピクチャデータの記録位置を記憶する読み飛ばし位置記憶手段と、
前記１つ手前のサブピクチャデータの記録位置からの再生が開始された後、再び前記読み飛ばし位置記憶手段に記憶した記録位置の再生を行わず、該記録位置を飛ばした次のサブピクチャデータの記録位置の再生を行う入力を受け付けるサブピクチャ読み飛ばし手段と、を備えたことを特徴とする。
【００２２】
この構成においては、サブピクチャ巻戻手段によって１つ手前のサブピクチャデータの記録位置から再生が開始された後、サブピクチャ読み飛ばし手段によって、１つ手前のサブピクチャデータの記録位置からの再生直前に再生されていた再生位置に対応するサブピクチャデータの再生を飛ばして次のサブピクチャデータを再生する入力が受け付けられる。
【００２３】
例えば、ユーザは、読み取れなかった１つ手前の字幕の再度の再生を行うためにサブピクチャ巻戻手段の入力を行うが、入力の際に再生されていた字幕については読み取れている場合がある。そのため、１つ手前の字幕及び映像の再生後、既に読み取れている字幕及び映像を飛ばして次の字幕及び映像の再生を望む場合がある。
【００２４】
したがって、サブピクチャ読み飛ばし手段によって、１つ手前のサブピクチャデータの記録位置からの再生が開始された後、１つ手前のサブピクチャデータの記録位置からの再生直前に再生されていたサブピクチャデータ等の再生を飛ばすことで操作性を向上させることができる。
【発明の効果】
【００２５】
この発明によれば、光ディスクの再生中に変更された再生位置における映像データに対応するサブピクチャデータを、映像データとともに再生することができるので、メモリ容量の増大を抑制しつつ変更された再生位置からの再生内容をユーザにわかり易くできる。
【発明を実施するための最良の形態】
【００２６】
以下、この発明の実施形態である光ディスク装置について説明する。
【００２７】
図１は、この発明の実施形態に係る光ディスク装置の構成を示すブロック図を示す。光ディスク装置１は、ＤＶＤ１０に記録されている映像データや音声データ等の記録データを再生する、所謂ＤＶＤ再生装置である。
【００２８】
光ディスク装置１は、装置本体の動作を制御する制御部２と、装置本体にセットされている記録媒体であるＤＶＤ１０に記録されている映像データや音声データ等の記録データを読み取る読取部３と、読取部３が読み取った記録データを処理して再生信号を生成する再生部４と、再生部４で生成された映像データ及びサブピクチャデータに基づく再生信号とオンスクリーン画像信号（以下、ＯＳＤ画像信号と言う。）とを重ね合わせた再生信号を生成する画像合成部５と、画像合成部５で生成された合成画像の再生信号を出力する画像信号出力部６と、再生部４で処理された音声データに基づく音声の音声信号を出力する音声信号出力部７と、装置本体に対する入力を受け付ける操作部８と、を備えている。
【００２９】
制御部２は、メモリを有し、このメモリに記憶している制御パラメータを用いて各部の動作を決定する。また、制御部２は、装置本体の各部に対して決定した動作に応じた動作指示を行う。各部は、制御部２からの指示にしたがって動作する。読取部３は、本体にセットされているＤＶＤ１０に記録されている記録データを読み取る図示しないピックアップヘッドを有する。ピックアップヘッドは、公知のように、レーザ光をＤＶＤ１０に照射し、その反射光を検出することで、このＤＶＤ１０に記録されている記録データを読み取る。なお、読取部３は、本発明の読取手段に相当する。
【００３０】
再生部４は、読取部３が読み取った記録データのうち映像データ及びサブピクチャデータを処理する画像データ処理部４ａと、音声データを処理する音声データ処理部４ｂとを有している。画像データ処理部４ａは、映像データ及びサブピクチャデータのそれぞれに基づいて再生信号を生成し、画像合成部５に送信する。音声データ処理部４ｂは、音声データに基づいて音声信号を生成し、音声信号出力部７に送信する。
【００３１】
画像合成部５は、映像データに基づく再生信号、サブピクチャデータに基づく再生信号、及びＯＳＤ画像信号を重ね合わせた再生信号を生成する。ＯＳＤ画像には、制御部２のメモリに記憶している制御パラメータの変更等にかかる操作案内画面（所謂設定メニュー画面）や、再生、一時停止等の装置本体の動作状態を通知する画面等がある。なお、再生部４及び画像合成部５は、本発明の再生手段に相当する。
【００３２】
画像信号出力部６は、接続された表示器１１に画像合成部５から出力された再生信号を出力する。
【００３３】
表示器１１は、画像信号出力部６から入力された再生信号に基づく映像を表示する。音声信号出力部７は、スピーカ１２に接続されている。音声信号出力部７は、音声データに基づく音声信号を出力する。スピーカ１２は、音声信号に基づく音声を出力する。
【００３４】
操作部８は、複数の操作キーや、図示しないリモコン装置から送信されてきた制御コードを受信するリモコン受信部を有している。操作部８は、操作キーの操作やリモコン受信部における制御コードの受信により、再生等の入力を受け付ける。なお、操作部８は、本発明の移動指示手段に相当する。
【００３５】
再生部４は、さらに記録位置メモリ４ｃ（本発明の位置情報記憶手段に相当する。）を備えている。記録位置メモリ４ｃは、ＤＶＤ１０の再生中に、読み取られたサブピクチャデータのＤＶＤ１０の記録位置を記憶する。画像処理部４ａは、再生中において読み取られたサブピクチャデータを処理する際、このサブピクチャデータのＤＶＤ１０の記録位置を記録位置メモリ４ｃに格納する。
【００３６】
図２は、ＤＶＤ１０に記録されている記録データの構成を説明するための模式図である。記録データは、同図に示すように１つがサブピクチャデータＳ、映像データＶ、音楽データＡの順で構成され、ＤＶＤ１０に複数記録されている。読取部３は、サブピクチャデータＳ、映像データＶ、音楽データＡの順に読み取って再生部４に送信する。本実施形態におけるサブピクチャデータＳは、字幕情報である。
【００３７】
操作部８は、ＤＶＤ１０の再生中において現在の再生位置から時間的に離れた再生位置への移動指示を行う早送り、巻戻しの入力を受け付ける。制御部２は、操作部８が巻戻し、早送りの入力を受け付けると、早送り、巻戻しによって指示された再生位置から再生を開始する。この時、指示された再生位置よりも時間的に手前で、且つ最も近いサブピクチャデータＳの映像も再生される。
【００３８】
例えば、図２に示すように、現在の再生位置Ａから巻戻しによって指示された再生位置Ｂにおいて再生が開始される際、再生位置Ｂから時間的に手前で、且つ最も近い記録位置ＷのサブピクチャデータＳの映像も再生位置Ｂの映像とともに再生される。
【００３９】
図３（Ａ），（Ｂ）は、この発明の実施形態に係る再生中に早送り、巻戻しが実行されて再生を行う際の手順を示す流れ図である。
【００４０】
早送り、巻戻しによってリモコン等を介して指示された再生位置から再生を行う際、制御部２は、サブピクチャデータＳ読取処理を実行する（Ｓ１）。サブピクチャ読取処理は再生部４が実行する。サブピクチャ読取処理は、図３（Ｂ）に示すように、まず指示された再生位置よりも時間的に手前で、且つ最も近いサブピクチャデータＳの記録位置を記録位置メモリ４ｃの記憶内容から取得する（Ｓ１１）。次に、ＤＶＤ１０からこの記録位置に記録されているサブピクチャデータＳを取得する（Ｓ１２）。その後、画像データ処理部４ｂにおいて、サブピクチャデータＳに画像処理を施して再生信号を生成し（Ｓ１３）、画像合成部５に出力する（Ｓ１４）。
【００４１】
サブピクチャ処理の終了後、制御部２は、指示された再生位置からＤＶＤ１０の公知の再生処理を行う（Ｓ２）。この時、画像合成部５において、Ｓ１４の処理で出力されたサブピクチャデータＳの再生信号と、指示された再生位置における映像データＶとを合成して再生を開始する。
【００４２】
これによって、変更された再生位置の映像データＶに対応するサブピクチャデータＳを映像データＶとともに再生することができ、変更された再生位置からの再生内容がユーザにわかり易くなり、映像データＶに対応するサブピクチャデータＳが再生される再生位置まで巻戻す等の操作が必要ない。
【００４３】
また、記録位置メモリ４ｃにおいてサブピクチャデータＳ自体ではなく記録位置を記憶しているので、メモリの容量の増大を抑制することができる。
【００４４】
なお、図３（Ｂ）に示すサブピクチャ読取処理に代えて、ＤＶＤ１０が再生されてサブピクチャ記録位置が記録位置メモリ４ｃに記憶されているか否かを判断する処理を設けた図４に示す構成を用いてもよい。サブピクチャ読取処理が開始されると、図４に示すように、まず今回の移動指示により指示されている再生位置とこの再生位置よりも時間的に所定時間だけ手前の記録位置との間の所定範囲に含まれるサブピクチャデータＳの記録位置が、記録位置メモリ４ｃに記憶されているか否かを判断する（Ｓ２１）。つまり、指示された再生位置からの所定範囲内において、以前にＤＶＤ１０が再生されてサブピクチャデータＳの記録位置が記憶されているか判断する。したがって、再生部８は、本発明の判断手段にも相当する。
【００４５】
Ｓ２１において、所定範囲内におけるサブピクチャデータＳの記録位置が記憶されていると判断した場合は、図３（Ｂ）に示すＳ１１〜Ｓ１４と同様の処理であるＳ２２〜Ｓ２５の処理を実行する。
【００４６】
一方、Ｓ２１において、所定範囲内におけるサブピクチャデータＳの記録位置が記憶されていないと判断した場合は、所定範囲内におけるＤＶＤ１０の記録データを取得する（Ｓ２６）。次に、取得した記録データにサブピクチャデータＳが存在するか否かを判断し（Ｓ２７）、サブピクチャデータＳが存在すると判断した場合は、指示された再生位置よりも時間的に手前で、且つ最も近いサブピクチャデータＳを選択する（Ｓ２８）。その後、画像データ処理部４ｂにおいて、サブピクチャデータＳに画像処理を施して再生信号を生成し（Ｓ２４）、画像合成部５に出力する（Ｓ２５）。
【００４７】
一方、Ｓ２７において、サブピクチャデータＳが存在しないと判断した場合は、処理を終了する。
【００４８】
これによって、再生により光ディスクのサブピクチャデータＳの記録位置が記憶されてない場合であっても、変更された再生位置の映像データＶに対応するサブピクチャデータＳを映像データＶとともに再生することができる。
【００４９】
操作部８は、さらにＤＶＤ１０の現在の再生位置に対応するサブピクチャデータＳの記録位置よりも時間的に１つ手前のサブピクチャデータＳの記録位置を記録位置メモリ４ｃから読み出し、１つ手前のサブピクチャデータＳの記録位置からの再生を開始する入力を受け付ける。したがって、操作部８は、本発明のサブピクチャ巻戻手段にも相当する。
【００５０】
リモコン等を介して１つ手前のサブピクチャデータＳの記録位置からの再生を開始する入力を受け付けると、再生部４は、例えば図５に示すように、現在の再生位置Ａに対応するサブピクチャデータＳの記録位置Ｘよりも時間的に１つ手前のサブピクチャデータＳの記録位置Ｙを記録位置メモリ４ｃから読み出し、このサブピクチャデータＳの記録位置ＹからＤＶＤ１０の再生を行う。
【００５１】
これによって、時間的に１つ手前のサブピクチャデータＳの記録位置から容易に再生することができるので、例えばユーザが再生された字幕を読み取る前に次の字幕が再生されてしまった際、読み取ることができなかった字幕をすぐに再生することができ、操作性を向上させることができる。
【００５２】
また、操作部８は、時間的に１つ手前のサブピクチャデータＳの記録位置から再生が開始された後、この１つ手前のサブピクチャデータＳの記録位置からの再生を開始する入力を受け付けた際における再生位置に対応するサブピクチャデータＳの再生を行わずに飛ばして次のサブピクチャデータＳの再生を行う入力を受け付ける。これにより、操作性を向上させることができる。操作部８は、本発明におけるサブピクチャ読み飛ばし手段にも相当する。
【００５３】
再生部４は、操作部８が１つ手前のサブピクチャデータＳの記録位置からの再生を開始する入力を受け付けた際における再生位置に対応するサブピクチャデータの記録位置を記憶する読み飛ばし位置メモリ４ｄ（本発明の読み飛ばし位置記憶手段に相当する。）を備えている。
【００５４】
例えば、現在の再生位置Ａに対応する記録位置ＸのサブピクチャデータＳよりも時間的に１つ手前のサブピクチャデータＳの記録位置Ｙからの再生が開始された後、操作部８が記録位置ＸのサブピクチャデータＳの再生を飛ばす入力を受け付けた際、再生部４は、記録位置Ｙからの再生を継続して行うが、次に再生される再生位置が読み飛ばし位置メモリ４ｄから読み出した記録位置Ｘの時にこの記録位置Ｘを飛ばし、記録位置Ａの次に再生されるサブピクチャデータＳの記録位置Ｚからの再生を行う。
【図面の簡単な説明】
【００５５】
【図１】この発明の実施形態に係る光ディスク装置の構成を示すブロック図である。
【図２】ＤＶＤに記録されている記録データの構成を説明するための模式図である。
【図３】再生中に早送り、巻戻しが実行されて再生を行う際の手順を示す流れ図である。
【図４】再生中に早送り、巻戻しが実行されて再生を行う際の手順を示す流れ図である。
【図５】時間的に１つ手前のサブピクチャデータの記録位置からの再生を開始する入力を受け付けた際の再生部の再生位置を説明するための説明図である。
【符号の説明】
【００５６】
１−光ディスク装置
２−制御部
３−読取部
４−再生部
４ｃ−記録位置メモリ
４ｄ−読み飛ばし位置メモリ
５−画像合成部
８−操作部
１０−ＤＶＤ
【図１】
2007081668.tif 000003
【図２】
2007081668.tif 000004
【図３】
2007081668.tif 000005
【図４】
2007081668.tif 000006
【図５】
2007081668.tif 000007